(57)【特許請求の範囲】
【請求項１】
所定時間帯しか供給されない電力により運転される床暖房装置（２）の運転を制御可能であり、給電時間帯以外の停電中も内部時計の歩進、運転条件等が記憶されているＲＡＭ等が保護されるようにした停電補償付きの床暖房装置用コントローラ（１）に、給電時に充電され、停電時の電源として放電可能なコンデンサ（Ｃ）を設け、停電時に一定時間入力操作が行われないと通常の停電補償動作に戻って、入力操作を受け付けなくするタイマーを設けたことを特徴とする床暖房装置用コントローラ。
【発明の詳細な説明】
【０００１】
【産業上の利用分野】
本発明は電気或は温水により加熱する床暖房装置、特に深夜電力や時間帯電力のように限定された時間帯だけ供給される電力により運転される床暖房装置の運転制御に使用される床暖房装置用コントローラに関するものである。
【０００２】
【従来の技術】
床暖房装置を電気或は温水により加熱する床暖房装置は従来からある。これら床暖房装置には深夜電力や時間帯電力のように限定された時間帯だけ供給される電力（安価な電力）で床暖房装置を運転するようにしたものがある。この床暖房装置は運転時間、加熱温度等の運転条件を床暖房装置用コントローラの操作により設定、変更（制御）できるようにしてある。
【０００３】
床暖房装置用コントローラとしては例えば図３に示す様なものがある。この床暖房装置用コントローラ１は内部にＩＣが内蔵され、それに床暖房装置を連続運転させる連続運転モード、タイマー運転させるタイマー運転モード等がプログラミングされている。
【０００４】
図３の床暖房装置用コントローラ１には床暖房装置２の運転をＯＮ、ＯＦＦするための電源スイッチ４、床暖房装置２の運転をタイマー運転にするためのタイマー用操作釦５、タイマー運転のＯＮ、ＯＦＦの時刻を設定するための時刻設定釦６、時刻設定時に設定モードを時間と分とに切替えるための時／分切替え釦７、タイマー設定する時間や分を設定するための送り釦８、９、タイマー設定される時間や分が液晶表示される時間表示部１０、連続運転時及びタイマー運転時の暖房温度を設定するための温度設定釦１１、１２、温度設定釦１１、１２で設定された設定温度が高いか低いかを表示する高低表示用ライト（例えばＬＥＤ）１３等が設けられてなる。
【０００５】
床暖房装置用コントローラ１には電源が供給されなくなる（停電になる）とコントローラ内部の時計の歩進を確保し、運転条件等が記憶されているＲＡＭのデータが消えないようにする停電補償機能を備えたもの（停電補償付きのもの）もある。
【０００６】
【発明が解決しようとする課題】
従来の停電補償付きの床暖房装置用コントローラは停電時でも時計の歩進、ＲＡＭの記憶等を保護することはできるが、停電中は運転条件の入力、変更等の操作をすることができないのが普通である。このため、床暖房装置を深夜電力や時間限定電力等で運転する場合は、従来の床暖房装置用コントローラでは電力が供給されている時間帯（例えば深夜）にしかタイマーの設定や変更、温度の設定や変更などを行うことができない。従って、深夜の電力供給時間帯まで起きていて入力操作をするとか、寝てからその時間帯にわざわざ起きて入力操作をしなければならないといった不便があった。
【０００７】
停電中でもそれらの操作ができるようにするためには、床暖房装置用コントローラの入力機能、例えば入力キー、表示機能、例えば入力状態を確認するための時間表示部１０、設定温度の高低を示すＬＥＤ１３等を生かしておく（作動可能状態にしておく）必要がある。しかし、そのようにすると消費電力が多くなり、長時間の停電補償は困難であった。
【０００８】
床暖房装置用コントローラにバッテリーを搭載すればある程度の長時間の停電補償は可能であるが、そのためには大きなバッテリーが必要になるので同コントローラも大型化してしまい、実用的でないという問題がある。また、バッテリーの管理を十分に行なわないとバッテリーの消耗に気がつかず、停電時にバッテリーから電源が供給されず、停電補償機能を果たせなくなるという問題があった。停電補償機能を確保するためには一定期間毎に電池を交換するなどのメンテナンスを行なう必要があり管理が面倒であった。
【０００９】
本発明の目的は停電中（電力供給時間以外の時間帯）でも現在時刻の設定、タイマー運転の時間設定、温度設定等の入力操作を行うことができる床暖房装置用コントローラを提供することにある。
【００１０】
【課題を解決するための手段】
本発明の床暖房装置用コントローラは、所定時間帯しか供給されない電力により運転される床暖房装置の運転を制御可能であり、給電時間帯以外の停電中も内部時計の歩進、運転条件等が記憶されているＲＡＭ等が保護されるようにした停電補償付きの床暖房用コントローラに、図１に示す様に給電時に充電され、停電時の電源として放電可能なコンデンサＣを設け、停電時に一定時間入力操作が行われないと通常の停電補償動作に戻って、入力操作を受け付けなくするタイマーを設けたものである。
【００１１】
【００１２】
【作用】
本発明の床暖房装置用コントローラでは停電時の電源としてコンデンサＣを設けたので、停電時は同コンデンサＣから給電されて入力操作可能となり、運転時間、暖房温度等の設定を変えることができる。
【００１３】
本発明の床暖房装置用コントローラでは、停電時に入力操作が一定時間行われなかった場合、通常の停電補償動作に戻って入力操作を受け付けなくなるタイマーを設けたので、無駄な電力消費が少なくなり、コンデンサＣに充電された電力で十分に間に合う。
【００１４】
【実施例】
本発明の床暖房装置用コントローラの一実施例を図１、２に基づいて詳細に説明する。本発明の床暖房装置用コントローラには図２に示す様に床暖房装置２の運転をＯＮ、ＯＦＦするための電源スイッチ４、床暖房装置２の運転をタイマー運転にするためのタイマー用操作釦５、タイマー運転のＯＮ、ＯＦＦの時刻を設定するための時刻設定釦６、時刻設定時に設定モードを時間と分とに切替えるための時／分切替え釦７、タイマー設定する時間や分を設定するための送り釦８、９、タイマー設定される時間や分が液晶表示される時間表示部１０、連続運転時及びタイマー運転時の暖房温度を設定するための温度設定釦１１、１２、温度設定釦１１、１２で設定された設定温度が高いか低いかを表示する温度高低表示器（例えばＬＥＤ）１３、そして停電時に停電モードに切替えるための停電モード用釦１４が設けられてなる。
【００１５】
図２の床暖房装置用コントローラ１には図１に示すワンチップマイコン（ＩＣ）が内蔵されており、このＩＣには床暖房装置用コントローラとして必要な停電判定回路、時計の歩進回路、カウンター回路、データ記憶用のＲＡＭ、内部発振回路等が搭載されてなる。
【００１６】
図１のＣは床暖房装置用コントローラの内部に設けた停電補償用の大容量コンデンサ、例えばスーパーキャパシターである。図１の２１はＩＣにタイマー運転の時間、暖房温度等のデータをＩＣに入力するボタン入力部、２２はボタン入力部２１からＩＣに入力されて設定された温度を図２の温度高低表示器１３に表示させる（点灯させる）ための信号を出力するＬＥＤ出力、２３は図２のボタン入力部２１からＩＣに入力されるタイマー運転の時間、温度等のデータを図２の時間表示部１０に液晶表示させる信号を出力するためのＬＣＤ出力、２４は床暖房装置２を運転させるリレーを駆動させる信号を出力するリレー駆動出力、２５は外部の温度センサで検知した温度データをＩＣに入力するための温度センサ入力部、２６はＩＣ内の時計の歩進用信号をＩＣに入力するための水晶発振入出力である。
【００１７】
図１において実線の矢印は停電時も動作可能な（生きている）回路、破線の矢印は停電時に動作しない回路、二点鎖線の矢印は停電時に所定の操作した（停電モード用釦１４を押した）後に動作する回路である。
【００１８】
【使用例】
図１においては、通電時は外部から供給されるＡＣ電圧がＤＣ電圧（通常５Ｖ程度）に変換され、それがＩＣの電源入力端１、３間に供給されてＩＣが動作し、ＩＣのリレー駆動出力２４のリレー駆動信号により床暖房装置２が動作して床暖房が行われる。このとき、ＩＣに供給されるＤＣ電圧が停電補償用の大容量コンデンサＣに充電される。
【００１９】
また、図１のＬＥＤ出力２２からの出力に基づいて図２の多数の温度高低表示器１３のいずれか（設定温度に対応するＬＥＤ）が点灯して設定温度が表示され、図１のＬＣＤ出力２３の出力に基づいて図２の時間表示部１０にタイマー運転の設定時間が液晶表示される。図１の温度センサ入力２５には例えば、床暖房装置で暖房される室内に設置された温度センサで検知した温度データが使用され、それがＩＣに入力され、このデータに基づいて床暖房装置の運転が自動的に制御される。また、図１の水晶発振入出力２６から時計歩進用信号がＩＣに入力されてＩＣ内の時計が歩進する。
【００２０】
停電によりＩＣにＤＣ電圧が供給されなくなると、コンデンサＣに充電されてある電圧が自動的に放電を開始してＩＣに給電される。また、停電によりＩＣの停電判定回路（端子）２に電源が供給されなくなるので停電が検知される。
【００２１】
ＩＣが停電を検知した場合、図１のＬＥＤ出力２２及びＬＣＤ出力２３、リレー駆動出力２４、温度センサ入力２５、水晶発振入出力２６が停止し、ＩＣ内部の発振回路、時計、ＲＡＭデータ、カウンタ等と、外部の停電モード用釦の入力（停電中の入力モードにするための釦入力）のみを機能させて、ＩＣが所定ボタンの入力以外は受付けず、省電力の運転が行われる。
【００２２】
この状態で停電モード用釦１４を押すと、ＩＣがそれまで停止状態にあったＬＥＤ出力２２、ＬＣＤ出力２３、ボタン入力部２１を動作状態に復帰させて、ボタン入力部２１の両入力端子４、５からの時刻設定、タイマー設定、温度設定などの入力を受け付け可能とする。そして、ボタン入力部２１から入力があった場合、ＩＣ内のカウンタが作動し、このカウンタによりボタン操作後の時間経過がカウントされ、所定のカウントになったらＬＥＤ出力２２、ＬＣＤ出力２３、ボタン入力部２１の端子５の回路を閉じて、同端子５へのボタン入力が停止し、省電力運転状態に戻る。
【００２３】
【発明の効果】
本発明の床暖房装置用コントローラは次の様な効果がある。
（１）停電時の電源としてコンデンサＣを設けたので、停電時は同コンデンサＣから給電されて最低限必要な入力操作だけは可能となる。このため、例えば深夜電力利用の床暖房装置の場合でもタイマーの設定、確認等を日中でも行なうことができ、従来の様に深夜の電力供給時間帯まで起きていて入力操作をするとか、寝てから給電時間帯にわざわざ起きて入力操作をしなければならないといった不便がなくなる。
（２）停電補償中、必要以外の外部入出力を切り離して省電力運転可能としてあるため、コンデンサＣで長時間（実験では１９時間）の停電補償が可能となった。
（３）停電補償のために電池を用いる必要がないので、電池のメンテナンスが不要になる。
（４）停電時に入力操作が一定時間行われなかった場合、通常の停電補償動作に戻って入力操作を受け付けなくなるので、無駄な電力消費が少なくなり、コンデンサＣに蓄電された電力で十分に間に合う。
【図面の簡単な説明】
【図１】  本発明の床暖房装置用コントローラのＩＣ部分の一例を示す説明図。
【図２】  本発明の床暖房装置用コントローラの外観の一例を示す説明図。
【図３】  従来の床暖房装置用コントローラの外観説明図。
【符号の説明】
Ｃ  コンデンサ
１  床暖房装置用コントローラ
２  床暖房装置
【図１】
0003725194.tif 000002
【図２】
0003725194.tif 000003
【図３】
0003725194.tif 000004